(57)【特許請求の範囲】
【請求項１】
第１の光部品と第２の光部品とが装置架内に収容され、該第１と第２の光部品の各接続端面側にはそれぞれ複数の光ファイバ接続部が形成され、これら第１の光部品に形成された複数の各光ファイバ接続部と第２の光部品に形成された複数の各光ファイバ接続部とをそれぞれ１対１で接続する複数の接続用光ファイバが第１と第２の光部品の各光ファイバ接続部に接続されている光部品収容架装置であって、前記複数の接続用光ファイバは該接続用光ファイバを搭載して第２の光部品側に導く配線用トレイを介して前記第２の光部品の光ファイバ接続部に接続されており、前記第２の光部品は前記配線用トレイの下方側に配線用トレイの長手方向に沿って複数配列配置されており、各第２の光部品の複数の光ファイバ接続部は上下方向に配列形成されており、前記配線用トレイには該配線用トレイに導入される前記接続用光ファイバを各第２の光部品のファイバ接続部数に対応させて分割して支持する複数の光ファイバ支持部が前記配線用トレイの長手方向に並設され、これらの各光ファイバ支持部は前記配線用トレイの長手方向に直交する方向の位置を順にずらして設けられており、前記光ファイバ支持部は断面が櫛歯状に形成されており、該各光ファイバ支持部の櫛歯の間に接続用光ファイバが１本ずつ配設支持されて該接続用光ファイバが互いに上下方向に間隔を介して配列しており、前記各光ファイバ支持部は、光ファイバが配列支持されている状態でも、配線用トレイに対して個別に抜き差し自在に設けられていることを特徴とする光部品収容架装置。
【請求項２】
接続用光ファイバを配線用トレイから第２の光部品の光ファイバ接続部側に導出する配線用トレイの端縁部には、各光ファイバ支持部によって支持した接続用光ファイバ毎に各第２の光部品のファイバ接続部に導くガイド部が前記配線用トレイの長手方向に沿って複数並設されていることを特徴とする請求項１記載の光部品収容架装置。
【請求項３】
第１の光部品は第１の光ケーブルに設けられた光ファイバから出射する光を複数の光に分割するスプリッタモジュールとし、第２の光部品は前記スプリッタモジュールで分割した各光を第２の光ケーブル側に導く光分岐モジュールとしたことを特徴とする請求項１記載の光部品収容架装置。
【発明の詳細な説明】
【０００１】
【発明の属する技術分野】
本発明は、例えば光ファイバ加入者系光通信システムなどに用いられる光部品等を収容する光部品収容架装置に関するものである。
【０００２】
【従来の技術】
近年、本格的なマルチメディア時代を迎え、ＦＴＴＨ（Ｆｉｂｅｒ  Ｔｏ  Ｔｈｅ  Ｈｏｍｅ）と呼ばれる、いわゆる光ファイバ加入者系光通信システムの検討が行なわれている。加入者系光通信システムは、電話局などの局と加入者宅とを光ケーブルを介して接続して形成されており、図５には、加入者系光通信システムにおける局内の配線システムの一例が示されている。同図に示すように、局内には、交換機などの伝送装置１９と、第１の光ケーブルとしての所内ケーブル１と、光部品収容架装置３０が設けられており、光部品収容架装置３０は、第２の光ケーブルとしての成端ケーブル２を介して局外の加入者端に接続されている。
【０００３】
光部品収容架装置３０は、第１の光部品としてのスプリッタモジュール３と、第２の光部品としての光分岐モジュール４と、ファイバセレクタ１６とを装置架１５内に収容して形成されている。スプリッタモジュール３は、一端側が光ファイバ３４を介して所内ケーブル１に接続されており、光分岐モジュール４は、一端側が光ファイバ２２を介して成端ケーブル２に接続されている。なお、同図の図中、２１は、光ファイバ３４とスプリッタモジュール３との接続部を示し、２３は、光ファイバ２２と光分岐モジュール４との接続部を示している。
【０００４】
スプリッタモジュール３と光分岐モジュール４にはそれぞれ、光ケーブル（所内ケーブル１および成端ケーブル２）の接続側と反対の接続端面側に複数の光ファイバ接続部４０，４１が形成されており、スプリッタモジュール３と光分岐モジュール４との間には、スプリッタモジュール３に形成された複数の各光ファイバ接続部４０と光分岐モジュール４に形成された複数の各光ファイバ接続部４１とをそれぞれ１対１で接続する複数の接続用光ファイバ６が設けられている。
【０００５】
スプリッタモジュール３は、所内ケーブル１に設けられた光ファイバから出射する光を、例えば８，１６，３２，６４といった複数の光に分割するものである。
【０００６】
光分岐モジュール４は、複数の光カプラ２０を有して構成されており、光分岐モジュール４は、スプリッタモジュール３で分割した各光を、各光カプラ２０によって成端ケーブル２側とファイバセレクタ１６側とに分岐し、それぞれ成端ケーブル２側とファイバセレクタ１６側に導くものである。なお、図の簡略化のために、同図には、光カプラ２０を２個示してあるが、光分岐モジュール４には、例えばスプリッタモジュール３で分割される光の数に対応させて、光ファイバ接続部４１の数と同様の数の光カプラ２０が設けられている。光分岐モジュール４とファイバセレクタ１６とは複数の光ファイバ２４を介して接続されている。
【０００７】
ファイバセレクタ１６には、図示されていないＯＴＤＲ(Ｏｐｔｉｃａｌ  Ｔｉｍｅ  Ｄｏｍａｉｎ  Ｒｅｆｌｅｃｔｍｅｔｅｒ)などの試験装置が接続されるようになっており、ファイバセレクタ１６は、例えば光スイッチを有して形成され、複数の光ファイバ２４のうちいずれか１本の光ファイバ２４とＯＴＤＲとが光接続されるように、光ファイバ２４とＯＴＤＲとの光接続切り替えを行なう。
【０００８】
図６には、開発中の光部品収容架装置３０の構造が模式的に示されており、同図の（ａ）には、この装置を正面側から見た斜視図が、同図の（ｂ）には、この装置を背面側から見た斜視図がそれぞれ示されている。これらの図に示すように、光部品収容架装置３０の装置架１５には、ケーブル導入口２６が形成されており、このケーブル導入口２６から所内ケーブル１と成端ケーブル２が導入されてケーブル固定部２５によって固定され、ケーブル導入架１１が形成されている。
【０００９】
また、装置架１５内には、複数のモジュール搭載用の棚が形成されており、これらの棚に前記光分岐モジュール４が複数多段（同図では４段）に配設されて光分岐モジュール収容部９が形成され、この光分岐モジュール収容部９の上部側の棚には、複数のスプリッタモジュール３の収容部が配設されている。
【００１０】
スプリッタモジュール３の収容部には、例えば所内ケーブル１に設けられた光ファイバのうち、１本の光ファイバから出射される光を６４に分割するスプリッタモジュール３が６３個収容されており、したがって、全てのスプリッタモジュール３により分割されて出射される光の数は、最大で約４０００と成している。
【００１１】
そして、スプリッタモジュール３から出射される光の数に対応させて、例えば１６個の光カプラ２０を備えた光分岐モジュール４が２５０個設けられている。なお、このように、複数の光カプラ２０を設けてモジュール構造とする（光分岐モジュール４とする）ことにより、例えば１６心のモジュール単位で光カプラ２０を増設可能と成している。光分岐モジュール４の各光ファイバ接続部４１（同図には図示せず）には、アダプタ（図示せず）が設けられている。これらの光分岐モジュール４は、図の左右方向に配列配置され、各光分岐モジュール４の光ファイバ接続部４１は上下方向に配列形成されている。光分岐モジュール４の奥側にはファイバセレクタ１６が収容されている。
【００１２】
なお、一般に、光分岐モジュール４に設けられる光カプラ２０やアダプタの数は、１６個ずつとは限らず、例えば光カプラ２０とアダプタを８個ずつ設けた光分岐モジュール４もあり、例えば光分岐モジュール４の光カプラ２０とアダプタの総数が前記スプリッタモジュール３で分割される光の数に対応するように、適宜の数の光分岐モジュール４が装置架１５内に設けられる。
【００１３】
光分岐モジュール収容部９の側部がわには、前記ケーブル導入架１１内に、接続用光ファイバ６の余長収納部１０が形成されている。前記の如く、接続用光ファイバ６は、スプリッタモジュール３の光ファイバ接続部４０（同図には図示せず）と光分岐モジュール４の光ファイバ接続部４１（同図には図示せず）とを１対１で接続するものであるため、接続用光ファイバ６の長さは、いずれの光ファイバ接続部４０，４１間の接続にも対応できるように形成されている。
【００１４】
つまり、接続用光ファイバ６の長さは、スプリッタモジュール３の最も外側の光ファイバ接続部４０、すなわち、図６の（ａ）の左端に設けられた光ファイバ接続部４０に接続された接続用光ファイバ６が、スプリッタモジュール３から最も遠い位置に配設された光分岐モジュール４の光ファイバ接続部４１、すなわち、同図の最下段の左端に設けられた光ファイバ接続部４１に接続可能となるように、３〜５ｍ程度の長さに形成されて、その余長部分が余長収納部１０に収納されるようになっている。
【００１５】
余長収納部１０には、接続用光ファイバ６をガイドするＲガイド３６が設けられており、接続用光ファイバ６の余長部分は、このＲガイド３６に支持されて収容されている。なお、スプリッタモジュール３で分割される光の数は、前記の如く、最大で約４０００となるために、スプリッタモジュール３の光ファイバ接続部に接続されて、これらの光を光分岐モジュール４に伝達する接続用光ファイバ６の本数も、最大で約４０００本となるが、同図においては、図の簡略化のために、接続用光ファイバ６の大部分を省略して一部のみ示している。
【００１６】
スプリッタモジュール３の収容棚の背面側には、その下部側に、光ファイバ３４を配線するための配線用トレイ２８ａが設けられており、配線用トレイ２８ａの上部側には、光ファイバ３４をガイドする複数のＲガイド３１が設けられている。また、スプリッタモジュール３の収容棚の正面側には、接続用光ファイバ６を搭載する配線用トレイ２８ｂが設けられ、さらに、光分岐モジュール収容部９の各棚の正面側には、その下部側に、接続用光ファイバ６を搭載して配線するための配線用トレイ２８ｃが設けられており、配線用トレイ２８ｃの上部側には、接続用光ファイバ６をガイドする複数のＲガイド２７が設けられている。
【００１７】
同図に示す光部品収容架装置３０においては、所内ケーブル１に接続される光ファイバ３４は、装置架１５の背面側からＲガイド１４を介して配線されてスプリッタモジュール３の背面下部側に設けられた配線用トレイ２８（２８ａ）を通り、Ｒガイド３１にガイドされてスプリッタモジュール３の入射側に接続される。
【００１８】
また、スプリッタモジュール３の出射側の光ファイバ接続部に接続された接続用光ファイバ６は、その先端側（スプリッタモジュール３との接続と反対側）に単心コネクタが設けられた状態で、スプリッタモジュール３の正面下部側に設けられた配線用トレイ２８（２８ｂ）を通り、余長収納部１０を介して、各光分岐モジュール４側に導かれ、光分岐モジュール４が収容されている各段ごとに分割された後、配線用トレイ２８（２８ｃ）を通り、Ｒガイド２７にガイドされて対応する光分岐モジュール４の入射側の光ファイバ接続部４１に接続されるようになっている。
【００１９】
なお、同図においては、図の簡略化のために、配線用トレイ２８ｃを通った後に、Ｒガイド２７にガイドされて光分岐モジュール４に接続される接続用光ファイバ６の配線状態は省略して示してあるが、配線用トレイ２８ｃから光分岐モジュール４に至る接続用光ファイバ６の配線状態は、例えば図７に示すようになっており、同図のＡに示す位置に、光分岐モジュール４の前記光ファイバ接続部４１（図示せず）が上下方向に配列形成されており、この各光ファイバ接続部４１には、接続用光ファイバ６の先端側に設けられた単心光コネクタを接続するためのアダプタ（図示せず）が設けられている。そして、作業者等が、このアダプタに対して接続用光ファイバ６のコネクタの抜き差しを行なうことによって、光分岐モジュール４とスプリッタモジュール３との接続および接続の解除が行われる。
【００２０】
図５、図６に示すように、光分岐モジュール４と成端ケーブル２は、光ファイバ２２によって接続されており、前記光分岐モジュール４とスプリッタモジュール３との接続および接続の解除によって、所内ケーブル１側と成端ケーブル２側の光接続および光接続解除が行われることになる。なお、同図においては、図の簡略化のために、複数の光ファイバ２２のうち、一部の光ファイバ２２のみ示してある。
【００２１】
また、図６の図中、１３は保留端子盤を、１２は架渡り端子盤をそれぞれ示しており、スプリッタモジュール３に接続した接続用光ファイバ６のうち、光分岐モジュール４との接続を保留する接続用光ファイバ６があるときには、この接続用光ファイバ６を保留端子盤１３に接続しておき、スプリッタモジュール３に接続した接続用光ファイバ６のうち、他の光部品収容架装置３０に設けられている光分岐モジュール４との接続を行なう接続用光ファイバ６があるときには、この接続用光ファイバ６を架渡り端子盤１２に接続し、架渡り端子盤１２を介して他の光部品収容架装置３０に設けられている光分岐モジュール４との接続を行なう。
【００２２】
【発明が解決しようとする課題】
ところで、前記開発中の光部品収容架装置３０において、接続用光ファイバ６の本数は、最大約４０００本あり、これらの接続用光ファイバ６が例えば約１０００本ずつ配線用トレイ２８ｃに搭載されて、配線用トレイ２８の上部側に設けられている光分岐モジュール４の光ファイバ接続部４１に接続されているために、複数の接続用光ファイバ６を配線（光ファイバ接続部４１に接続）すると、配線用トレイ２８ｃ上に接続用光ファイバ６が簾状に垂れ下がることになり、複数の接続用光ファイバ６を配線した後に、さらに接続用光ファイバ６を配線する作業は容易ではなかった。
【００２３】
また、接続用光ファイバ６の配線変更を行なうときには、光分岐モジュール４の光ファイバ接続部４１に設けられたアダプタから、撤去する接続用光ファイバ６のコネクタを外し、配線用トレイ２８ｃに搭載された複数（例えば約１０００本）の接続用光ファイバ６から、撤去する接続用光ファイバ６を取り出した後、余長収納部１０に収納された最大約４０００本の接続用光ファイバ６の中から１本の接続用光ファイバ６を取り出す作業を行ない、その後、再度、初期の配線と同様の配線を行なうことになるが、前記開発中の光部品収容架装置３０においては、前記の如く、接続用光ファイバ６が、配線用トレイ２８ｃ上に接続用光ファイバ６が簾状に垂れ下がっているために、配線用トレイ２８ｃ上の接続用光ファイバ６の中から１本の接続用光ファイバ６を取り出す作業は容易でなかった。
【００２４】
特に、図６に示した光部品収容架装置３０においては、配線用トレイ２８ｃ上の接続用光ファイバ６は、単に配線用トレイ２８ｃ上に搭載されている状態であり、配線用トレイ２８ｃ上で分割して支持されるような構成を有していないために、前記の如く、最大約１０００本もの多数の接続用光ファイバ６を配線用トレイ２８ｃ上に搭載すると、これらの接続用光ファイバ６は、ばらばらに入り乱れた状態で重なり合ってしまい、接続用光ファイバ６の配線作業や配線変更作業が大変であった。
【００２５】
そのため、例えば、接続用光ファイバ６の配線変更に伴う接続用光ファイバ６の取り出し作業時に、撤去する接続用光ファイバ６のコネクタが他の接続用光ファイバ６に引っ掛かり、他の接続用光ファイバ６の光学的特性に一時的にでも悪影響を与えてしまうといった問題もあった。
【００２６】
さらに、図６に示した光部品収容架装置３０においては、前記の如く、接続用光ファイバ６が、配線用トレイ２８の上部側に設けられている光分岐モジュール４の光ファイバ接続部４１に接続されているために、光ファイバ接続部４１のアダプタに接続された光コネクタに、光コネクタから配線用トレイ２８ｃまで垂れ下がっている接続用光ファイバ６の重みが加わることになり、この重みによって、前記光コネクタとアダプタとの接続に悪影響が及ぶおそれがあった。そうなると、スプリッタモジュール３と光分岐モジュール４との光接続に悪影響が及び、スプリッタモジュール３と光分岐モジュール４との光接続を介して行なわれる所内ケーブル１と成端ケーブル２との光接続に悪影響が及び、加入者系光通信システムの信頼性を低下させてしまうことになる。
【００２７】
本発明は、上記課題を解決するためになされたものであり、その目的は、スプリッタモジュールと光分岐モジュールとの接続のように、複数の光ファイバ接続部を有する光部品同士を、接続用光ファイバによって各光ファイバ接続部ごとに１対１で接続して収容する光部品収容架装置において、接続用光ファイバの配線や配線変更が容易で、光部品同士の光接続の信頼性が高い光部品収容架装置を提供することにある。
【００２８】
【課題を解決するための手段】
上記目的を達成するために、本発明は次のような構成をもって課題を解決するための手段としている。すなわち、本第１の発明は、第１の光部品と第２の光部品とが装置架内に収容され、該第１と第２の光部品の各接続端面側にはそれぞれ複数の光ファイバ接続部が形成され、これら第１の光部品に形成された複数の各光ファイバ接続部と第２の光部品に形成された複数の各光ファイバ接続部とをそれぞれ１対１で接続する複数の接続用光ファイバが第１と第２の光部品の各光ファイバ接続部に接続されている光部品収容架装置であって、前記複数の接続用光ファイバは該接続用光ファイバを搭載して第２の光部品側に導く配線用トレイを介して前記第２の光部品の光ファイバ接続部に接続されており、前記第２の光部品は前記配線用トレイの下方側に配線用トレイの長手方向に沿って複数配列配置されており、各第２の光部品の複数の光ファイバ接続部は上下方向に配列形成されており、前記配線用トレイには該配線用トレイに導入される前記接続用光ファイバを各第２の光部品のファイバ接続部数に対応させて分割して支持する複数の光ファイバ支持部が前記配線用トレイの長手方向に並設され、これらの各光ファイバ支持部は前記配線用トレイの長手方向に直交する方向の位置を順にずらして設けられており、前記光ファイバ支持部は断面が櫛歯状に形成されており、該各光ファイバ支持部の櫛歯の間に接続用光ファイバが１本ずつ配設支持されて該接続用光ファイバが互いに上下方向に間隔を介して配列しており、前記各光ファイバ支持部は、光ファイバが配列支持されている状態でも、配線用トレイに対して個別に抜き差し自在に設けられている構成をもって課題を解決する手段としている。
【００３１】
さらに、本第２の発明は、上記本第１の発明の構成に加え、前記接続用光ファイバを配線用トレイから第２の光部品の光ファイバ接続部側に導出する配線用トレイの端縁部には、各光ファイバ支持部によって支持した接続用光ファイバ毎に各第２の光部品のファイバ接続部に導くガイド部が前記配線用トレイの長手方向に沿って複数並設されている構成をもって課題を解決する手段としている。
【００３３】
さらに、本第３の発明は、上記本第１の発明の構成に加え、前記第１の光部品は第１の光ケーブルに設けられた光ファイバから出射する光を複数の光に分割するスプリッタモジュールとし、第２の光部品は前記スプリッタモジュールで分割した各光を第２の光ケーブル側に導く光分岐モジュールとした構成をもって課題を解決する手段としている。
【００３４】
上記構成の本発明において、第１と第２の光部品を接続する複数の接続用光ファイバは、これらの接続用光ファイバを搭載して第２の光部品側に導く配線用トレイを介して前記第２の光部品の光ファイバ接続部に接続されており、該配線用トレイは第２の光部品の光ファイバ接続部の上部側に設けられているために、配線用トレイを第２の光部品の光ファイバ接続部の下部側に設けた光部品収容架装置と異なり、配線用トレイ上に接続用光ファイバが簾状に垂れ下がることはない。
【００３５】
また、本発明においては、前記配線用トレイには該配線用トレイに導入される前記接続用光ファイバを、配線用トレイの下方側に配線用トレイ長手方向に沿って複数配列配置された各第２の光部品のファイバ接続部数に対応させて分割して支持する複数の光ファイバ支持部が設けられているために、接続用光ファイバは、配線用トレイに設けられた複数の各光ファイバ支持部によって、各第２の光部品に上下方向に配列配置された光ファイバ接続部の数に対応する数ごとに分割して支持されるため、配線用トレイに搭載された接続用光ファイバの取り扱いが非常に容易になる。
【００３６】
特に、本発明においては、前記光ファイバ支持部は、前記配線用トレイの長手方向に並設され、これらの各光ファイバ支持部は前記配線用トレイの長手方向に直交する方向の位置を順にずらして設けられているために、接続用光ファイバは配線用トレイ上で整然とした状態とされるため、前記接続用光ファイバの配線用トレイ上での取り扱いが非常に容易となる。
【００３７】
そのため、本発明においては、複数の接続用光ファイバを配線した後にさらに接続用光ファイバを配線する作業や、接続用光ファイバの配線変更に伴い、配線されている複数の接続用光ファイバ接続用光ファイバから、撤去する１本の接続用光ファイバを取り出す作業等を容易に行なうことが可能となり、その結果、接続用光ファイバの配線や配線変更を容易に行なうことが可能となる。
【００３８】
また、本発明においては、上記のように、配線用トレイは第２の光部品の光ファイバ接続部の上部側に設けられており、配線用トレイを第２の光部品の光ファイバ接続部の下部側に設けた光部品収容架装置と異なり、配線用トレイ上に接続用光ファイバが簾状に垂れ下がることはないために、第２の光部品の光ファイバ接続部に接続されている接続用光ファイバ先端の光コネクタ等に、接続用光ファイバ自体の重みが加えられることはなく、この重みにより、光部品同士の接続に悪影響が及ぶこともなく、光部品同士の光接続の信頼性が高まる。
【００３９】
したがって、例えば、第１の光部品をスプリッタモジュールとし、第２の光部品を光分岐モジュールとして、本発明の光部品収容架装置を構成することにより、スプリッタモジュールと光分岐モジュールとの接続用光ファイバによる接続を、信頼性良く行なうことが可能となるし、接続用光ファイバの配線および配線変更を容易に行なうことが可能となり、スプリッタモジュールと光分岐モジュールとの光接続の長期信頼性を高めることも可能となり、上記課題が解決される。
【００４０】
【発明の実施の形態】
以下、本発明の実施の形態を図面に基づいて説明する。なお、本実施形態例の説明において、図６に示した装置と同一名称部分には同一符号を付し、その重複説明は省略する。図４には、本発明に係る光部品収容架装置３０の一実施形態例の構造が正面側から見た斜視図によって示されている。
【００４１】
本実施形態例の光部品収容架装置３０も、図５に示したシステム構成を有しており、本実施形態例の光部品収容架装置３０に収容されている光部品は、図６に示した光部品収容架装置３０に収容されている光部品とほぼ同様である。
【００４２】
本実施形態例が図６に示した装置と異なる特徴的なことは、同図に示すように、接続用光ファイバ６を搭載して光分岐モジュール４側に導く配線用トレイ２８ｃを、光分岐モジュール４の光ファイバ接続部４１の上部側に設け、かつ、図１に示すように、配線用トレイ２８ｃに、配線用トレイ２８ｃに導入される接続用光ファイバ６を各光分岐モジュール４のファイバ接続部４１数に対応させて分割して支持する複数の光ファイバ支持部４８を配線用トレイ２８ｃの長手方向に並設し、これらの各光ファイバ支持部４８を、配線用トレイ２８ｃの長手方向に直交する方向の位置を順にずらして設けたことである。
【００４３】
なお、図の簡略化のために、同図には、配線用トレイ２８ｃに導入される複数の接続用光ファイバ６のうち、一部の接続用光ファイバ６のみを示している。また、接続用光ファイバ６の配線用トレイ２８ｃから光分岐モジュール４の光ファイバ接続部４１までの配線は、図の右端の光ファイバ接続部４１に接続される接続用光ファイバ６の配線のみを示している。
【００４４】
前記各光ファイバ支持部４８は、図３に示すように、断面が櫛歯状に形成されており、各光ファイバ支持部４８の各櫛歯４９の先端側には、それぞれ突起部５０が設けられている。図２に示すように、接続用光ファイバ６は、各櫛歯４９間に１本ずつ配設支持されており、接続用光ファイバ６は互いに上下方向に間隔を介して配列している。なお、図３に示すように、各接続用光ファイバ６は、各櫛歯４９の先端側に設けられた突起部５０により抜け止め係止されている。
【００４５】
また、各光ファイバ支持部４８は、配線用トレイ２８ｃに対して抜き差し自在に設けられており、接続用光ファイバ６を光ファイバ支持部４８に配列するときには、各光ファイバ支持部４８を配線用トレイ２８ｃから抜いて配線し、各櫛歯４９の間に接続用光ファイバ６を配列した状態で、各光ファイバ支持部４８を配線用トレイ２８ｃに差し込み、図１、２に示すように、各光ファイバ支持部４８を、配線用トレイ２８ｃの長手方向に直交する方向の位置を順にずらして並設する。
【００４６】
図１に示すように、接続用光ファイバ６を配線用トレイ２８ｃから光分岐モジュール４の光ファイバ接続部４１側に導出する配線用トレイ２８ｃの端縁部には、各光ファイバ支持部４８によって支持した接続用光ファイバ６毎に各光分岐モジュール４のファイバ接続部４１に導くガイド部４３が、配線用トレイ２８ｃの長手方向に沿って複数並設されている。また、配線用トレイ２８ｃの前記端縁部側は、接続用光ファイバ６の許容曲率半径以上の曲率半径を有する凸形状の曲面であるＲガイド面４６と成しており、このＲガイド面４６が配線用トレイ６の下部側に突出形成されている。本実施形態例では、Ｒガイド面４６の曲率半径は約３０ｍｍと成しており、このＲガイド面４６の表面には、前記コードガイド４３に対応させて、図示されていないコードガイドがコードガイド４３の下部側に複数形成されている。
【００４７】
このＲガイド面４６の表面側に形成されたコードガイドは、前記光ファイバ群から分割された１６本の接続用光ファイバ６をガイドして、光分岐モジュール４の光ファイバ接続部４１側に導くものであり、本実施形態例では、コードガイドをＲガイド面４６の表面側に設けることにより、接続用光ファイバ６をＲガイド面４６に確実に沿わせて光分岐モジュール４の光ファイバ接続部４１側に導くようにしている。また、コードガイド４３に対応させてＲガイド面４６の表面側にコードガイドを設けることにより、光分岐モジュール４の光ファイバ接続部４１の本数ごとに、接続用光ファイバ６をほぼ整列した状態で光分岐モジュール４の光ファイバ接続部４１側に導くようにしている。
【００４８】
なお、本実施形態例では、図４に示したように、複数の光分岐モジュール４を５段に配列しており、各配線用トレイ２８ｃには、最大約８００本の接続用光ファイバ６が搭載されて配線されるようになっている。
【００４９】
さらに、本実施形態例の光部品収容架装置３０は、余長収納部１０が複数のファイバ支持板５を収容してなり、複数の接続用光ファイバ６を各ファイバ支持板５の数に対応した本数に分割し、この分割した各接続用光ファイバ６の本数毎に各ファイバ支持板５に支持して、接続用光ファイバ６をスプリッタモジュール３と光分岐モジュール４とに接続している。
【００５０】
また、各ファイバ支持板５には、それぞれ、ファイバ支持用のＲガイド７が複数設けられており、接続用光ファイバ６は、それぞれのファイバ支持板５に設けられたＲガイド７に支持されて、接続用光ファイバ６の余長部分が長い場合には、この余長部分をファイバ支持板５に垂らした状態で接続用光ファイバ６をスプリッタモジュール３と光分岐モジュール４に接続している。また、本実施形態例では、接続用光ファイバ６のスプリッタモジュール３への接続端側を複数本まとめて光ファイバテープコード８としている。
【００５１】
さらに、本実施形態例では、図６に示した光部品収容架装置３０に比べ、装置架１５の幅を約１．５倍に広く形成しており、ケーブル導入架１１を光分岐モジュール収容部９の左側部に、余長収納部１０を光分岐モジュール収容部９の右側部に、それぞれ設けている。また、スプリッタモジュール３を左右に分けて収容し、その一方側を光分岐モジュール収容部９の上部側に設け、その他方側を余長収納部１０の上部側に設けており、配線用トレイ２８ａ（図示せず）と配線用トレイ２８ｂをスプリッタモジュール３の上部側に設けている。
【００５２】
さらに、本実施形態例では、架渡り端子盤１２を装置架１５の手前側に設けており、所内ケーブル１を成端ケーブル２の手前側に設けている。
【００５３】
本実施形態例は以上のように構成されており、本実施形態例では、図４に示すように、所内ケーブル１に接続される光ファイバ３４は、装置架１５の正面側から、Ｒガイド１４を介し、装置架１５の背面側を通ってスプリッタモジュール３に配線される。
【００５４】
そして、本実施形態例でも、接続用光ファイバ６は、その一端側がスプリッタモジュール３に接続され、先端側に単心光コネクタが設けられた状態で、余長収納部１０を介して、各光分岐モジュール４側に導かれるが、本実施形態例では、接続用光ファイバ６は、ファイバ支持板５の枚数（例えば５枚）に対応させて、例えば約４０００本の接続用光ファイバ６が８００本ずつに分割され、この分割された接続用光ファイバ６が、それぞれのファイバ支持板５に設けられたＲガイド７に支持されて光分岐モジュール４側に導かれる。そして、接続用光ファイバ６の余長部分が長い場合には、この余長部分は、ファイバ支持板５に垂らした状態とされる。
【００５５】
なお、接続用光ファイバ６の先端側のコネクタを光分岐モジュール４に接続しないで、保留端子盤１３に保留しておくときにも、接続用光ファイバ６の余長部分を余長収納部１０のファイバ支持板５に支持した状態で収納される。
【００５６】
そして、余長収納部１０を通った複数の接続用光ファイバ６は、接続用光ファイバ６を接続する光分岐モジュール４に対応させて５段に分割され、光分岐モジュール４の光ファイバ接続部４１の上部側に設けられた配線用トレイ２８ｃに導入される。
【００５７】
配線用トレイ２８に導入された接続用光ファイバ６は、各光分岐モジュール４の光ファイバ接続部４１の本数に対応させて１６本ずつに分割されて、各光ファイバ支持部４８により支持される。この光ファイバ支持部４８による接続用光ファイバ６の支持は、前記の如く、１６本の接続用光ファイバ６が、各光ファイバ支持部４８の櫛歯４９の間にそれぞれ１本ずつ配設されて上下方向に配列された状態で行われる。そして、このように、上下方向に１列に配列された１６本ずつの接続用光ファイバ６が、配線用トレイ２８ｃの長手方向の位置を順にずらして並設されることにより、配線用トレイ２８ｃ上では、各接続用光ファイバ６が水平方向に間隔を介して１６本ずつ配列し、これら１６本の接続用光ファイバ６が上下方向（配線用トレイ２８ｃの接続用光ファイバ６搭載面に対して直交する垂直方向）に間隔を介して配列した状態となる。
【００５８】
そして、各光ファイバ支持部４８に支持された接続用光ファイバ６は、コードガイド４３によって、１６本ずつ、配線用トレイ２８ｃの前記端縁部からＲガイド面４６側に導かれる。そして、接続用光ファイバ６は、Ｒガイド面４６に設けられた前記コードガイドによって、１６本ずつガイドされて、Ｒガイド面４６に沿って配線用トレイ２８ｃの下部側に導かれ、光分岐モジュール４の光ファイバ接続部４１側に導かれ、接続用光ファイバ６の先端の光コネクタが光ファイバ接続部４１のアダプタに接続される。
【００５９】
また、本実施形態例でも、光分岐モジュール４と成端ケーブル２および、光分岐モジュール４とファイバセレクタ１６との接続などは、図６に示した光部品収容架装置３０とほぼ同様に行なわれる。
【００６０】
本実施形態例によれば、スプリッタモジュール３と光分岐モジュール４とを接続する複数の接続用光ファイバ６を搭載して、この接続用光ファイバ６を光分岐モジュール４の各光ファイバ接続部４１導く配線用トレイ２８ｃが、光分岐モジュール４の光ファイバ接続部４１の上部側に設けられているために、例えば図６に示したような、配線用トレイ２８ｃを光分岐モジュール４の光ファイバ接続部４１の下部側に設けた光部品収容架装置３０と異なり、配線用トレイ２８ｃ上に接続用光ファイバ６が簾状に垂れ下がることはなく、例えば、複数の接続用光ファイバ６を配線した後に、さらに接続用光ファイバ６を配線する作業も容易に行なうことができるし、接続用光ファイバ６の配線変更に伴い、配線されている複数の接続用光ファイバ６から、撤去する１本の接続用光ファイバを取り出す作業も容易に行なうことができ、接続用光ファイバ６の配線や配線変更を非常に容易にすることができる。
【００６１】
しかも、本実施形態例によれば、接続用光ファイバ６を、配線用トレイ２８ｃの長手方向に複数配列配置した光分岐モジュール４の光ファイバ接続部４１の数に対応させて分割して、各光ファイバ支持部４８により支持しているために、光ファイバ支持部４８を設けずに、接続用光ファイバ６を単に配線用トレイ２８ｃ上に搭載する場合と異なり、複数の接続用光ファイバ６がばらばらになって入り乱れて重なり合うようなことはなく、配線用トレイ２８ｃに搭載された接続用光ファイバ６の取り扱いを非常に容易に行なうことができる。
【００６２】
また、本実施形態例によれば、前記の如く、断面が櫛歯状の光ファイバ支持部４８を形成し、この光ファイバ支持部４８の各櫛歯４９間に、接続用光ファイバ６を１本ずつ配設支持して互いに上下方向に間隔を介して配列したために、接続用光ファイバ６を、配線用トレイ２８ｃの接続用光ファイバ搭載面に直交する方向と水平方向のいずれの方向からみても、配線用トレイ２８ｃ上に整然と配列することができるし、配線用トレイ２８ｃ上で接続用光ファイバ６を容易に１本ずつ取り扱うことができる。
【００６３】
さらに、本実施形態例によれば、各光ファイバ支持部４８は、配線用トレイ２８ｃに対して抜き差し自在に設けられているために、例えば、接続用光ファイバ６を光ファイバ支持部４８に配列するときには、各光ファイバ支持部４８を配線用トレイ２８ｃから抜いて配線し、各櫛歯４９の間に接続用光ファイバ６を配列した状態で、各光ファイバ支持部４８を配線用トレイ２８ｃに差し込むことにより、非常に容易に行なうことができるし、同様に、接続用光ファイバ６の配線変更に伴い、撤去する接続用光ファイバ６を取り出すときにも、光ファイバ支持部４８を配線用トレイ２８ｃから抜いて取り出すことで、接続用光ファイバ６の取り出す作業も非常に容易に行なうことができる。
【００６４】
以上のように、本実施形態例によれば、配線用トレイ２８ｃ上での接続用光ファイバ６の取り扱いを非常に容易に行なうことができるために、接続用光ファイバ６の配線および配線変更をより一層容易に行なうことができる。
【００６５】
さらに、本実施形態例によれば、接続用光ファイバ６を配線用トレイ２８ｃから光分岐モジュール４の光ファイバ接続部４１側に導出する配線用トレイ２８ｃの端縁部は、接続用光ファイバ６の許容曲率半径以上の曲率半径を有する凸形状の曲面としてのＲガイド面４６と成しており、このＲガイド面４６は、配線用トレイ２８ｃの下部側に向けて突出形成したために、接続用光ファイバ６を許容曲率半径よりも小さい曲率半径で曲げることなく、無理なく光分岐モジュール４の光ファイバ接続部４１側に導くことができる。
【００６６】
さらに、本実施形態例によれば、このＲガイド面４６の表面には、前記コードガイド４３に対応させて、複数のコードガイド（図示せず）を形成したために、前記光ファイバ群から分割された１６本の接続用光ファイバ６をＲガイド面４６の表面に設けたコードガイドによりガイドして、確実に接続用光ファイバ６をＲガイド面４６に沿わせることができるし、光分岐モジュール４の光ファイバ接続部４１の本数ごとに、接続用光ファイバ６をほぼ整列した状態で整然と配列して光分岐モジュール４の光ファイバ接続部４１側に導くことができる。
【００６７】
さらに、本実施形態例によれば、前記の如く、配線用トレイ２８ｃの上に接続用光ファイバ６が簾状に垂れ下がることはないために、接続用光ファイバ６の先端側の光コネクタに接続用光ファイバ自体の重みが加えられることはなく、この重みにより光ファイバ接続部４１に設けられたアダプタと前記光コネクタとの接続に悪影響が及び、結果的に、スプリッタモジュール３と光分岐モジュール４との接続に悪影響が及ぶといったこともなく、スプリッタモジュール３と光分岐モジュール４の光接続の信頼性を高めることができる。
【００６８】
したがって、本実施形態例によれば、スプリッタモジュール３と光分岐モジュール４との接続を介して行なわれる所内ケーブル１と成端ケーブル２との光接続の信頼性を高めることが可能となり、信頼性の高い加入者系光通信システムの構築を図ることができる。
【００６９】
さらに、本実施形態例によれば、スプリッタモジュール３と光分岐モジュール４を接続する接続用光ファイバ６の余長を収納する余長収納部１０は、複数のファイバ支持板５を収容してなり、複数の接続用光ファイバ６を各ファイバ支持板５の数に対応した本数に分割し、この分割した各接続用光ファイバ６の本数毎に各ファイバ支持板５に支持して、接続用光ファイバ６をスプリッタモジュール３と光分岐モジュール４の各光ファイバ接続部に接続したために、接続用光ファイバ６の本数が例えば４０００本あっても、これらの接続用光ファイバ６をまとめて収納する場合と異なり、より一層配線や配線変更を容易に行なうことができる。
【００７０】
なお、本発明は上記実施形態例に限定されることはなく様々な実施の態様を採り得る。例えば、上記実施形態例では、各光ファイバ支持部４８は、断面が櫛歯状に形成されていたが、光ファイバ支持部４８の形状などは特に限定されるものではなく、適宜設定されるものである。
【００７１】
また、上記実施形態例では、各光ファイバ支持部４８は、配線用トレイ２８ｃに対して抜き差し自在に設けたが、各光ファイバ支持部４８は、必ずしも配線用トレイ２８ｃに対して抜き差し自在に設けるとは限らず、例えば、各接続用光ファイバ６の各光ファイバ支持部４８への取り付けや取り外し作業が容易にできるように、各光ファイバ支持部４８の形状などを形成し、各光ファイバ支持部４８を配線用トレイ２８ｃに固定して設けてもよい。
【００７２】
また、上記実施形態例では、Ｒガイド面４６の表面側に、コードガイド４３に対応させて、図示されていない複数のコードガイドを設けたが、このコードガイドは省略することもできる。ただし、上記実施形態例と同様に、Ｒガイド面４６の表面側にコードガイドを設けると、接続用光ファイバ６をＲガイド面４６に確実に沿わせて配線することができるし、コードガイド４３によって分割した接続用光ファイバ６を、より一層整然とした状態で光分岐モジュール４の光ファイバ接続部４１側に導くことができる。
【００７３】
さらに、上記実施形態例では、接続用光ファイバ６を配線用トレイ２８ｃから光分岐モジュール４の光ファイバ接続部４１側に導出する配線用トレイ２８ｃの端縁部を凸形状の曲面のＲガイド面４６とし、このＲガイド面４６の曲率半径を約３０ｍｍとしたが、Ｒガイド面４６の曲率半径は、約３０ｍｍに限定されるものではなく、接続用光ファイバ６の曲率半径以上の適宜の値に設定されるものである。
【００７４】
さらに、Ｒガイド面４６は省略することもできる。ただし、Ｒガイド面４６を配線用トレイ２８ｃの前記端縁部に設けると、配線用トレイ２８ｃから各光分岐モジュール４の光ファイバ接続部４１側に導くときに、接続用光ファイバ６を許容曲率半径未満に曲げることなく、スムーズに無理なく光ファイバ接続部４１側に導くことができるために、Ｒガイド面４６を設けることが好ましい。
【００７５】
さらに、上記実施形態例では、接続用光ファイバ６を配線用トレイ２８ｃから光分岐モジュール４の光ファイバ接続部４１側に導出する配線用トレイ２８ｃの端縁部にコードガイド４３を設けたが、コードガイド４３は省略することができる。ただし、コードガイド４３を設けると、各光ファイバ支持部４８によって支持した接続用光ファイバ６を、各光分岐モジュール４の光ファイバ接続部４１に対応する本数ごと（各光ファイバ支持部４８により支持する本数ごと）に、非常に整然とした状態で配線して光ファイバ接続部４１側に導くことが可能となり、接続用光ファイバ６の配線および配線変更をより一層行ないやすくすることができる。
【００７６】
さらに、上記実施形態例では、余長収納部１０に複数のファイバ支持板５を収容し、複数の接続用光ファイバ６を各ファイバ支持板５の数に対応した本数に分割し、この分割した各接続用光ファイバ６の本数毎に各ファイバ支持板５に支持して、接続用光ファイバ６をスプリッタモジュール３と光分岐モジュール４とに接続したが、余長収納部１０の構成は特に限定されるものではなく、適宜設定されるものである。ただし、余長収納部１０を上記実施形態例のように構成すると、図６に示した光部品収容架装置３０のように、複数の接続用光ファイバ６を余長収納部１０にまとめて収納する場合に比べて、より一層接続用光ファイバ６の配線や配線変更を容易に行なうことができるし、スプリッタモジュール３と光分岐モジュール４との光接続をより一層信頼性の高いものとすることができる。
【００７７】
さらに、上記実施形態例では、各光分岐モジュール４にそれぞれ１６個の光ファイバ接続部４１を設けたが、各光分岐モジュール４に設けられる光ファイバ接続部４１の数は特に限定されるものではなく、適宜設定されるものである。
【００７８】
さらに、上記実施形態例では、複数のスプリッタモジュール３を左右に２つに分けて収容したが、スプリッタモジュール３の収容構造は特に限定されるものではなく、適宜設定されるものであり、例えば、１つの棚にまとめて収容してもよいし、３つ以上の複数の箇所に分けて収容してもよい。
【００７９】
さらに、上記実施形態例では、複数の光分岐モジュール４を５段に分けて収容したが、光分岐モジュール４の収容構造は特に限定されるものではなく、適宜設定されるものであり、例えば、光分岐モジュール４を５段以外の複数の段に分けて配設収容してもよいし、光分岐モジュール４を１つにまとめて配設収容してもよい。ただし、上記実施形態例のような加入者系光通信システムに用いられる光部品収容架装置３０においては、スプリッタモジュール３により分割した例えば最大約４０００といった非常に多数の光を成端ケーブル２とファイバセレクタ１６側に導くために、非常に多数の光分岐モジュール４が装置架１５内に設けられることになるため、上記実施形態例のように、複数段に分けて配設することが好ましい。
【００８０】
さらに、本発明の光部品収容架装置３０において、所内ケーブル１や成端ケーブル２、架渡り端子盤１２、保留端子盤１３などの収容構造は特に限定されるものではなく、適宜設定されるものである。
【００８１】
さらに、上記実施形態例では、光部品収容架装置３０の幅を図６に示した光部品収容架装置３０の幅の１．５倍程度に形成したが、光部品収容架装置３０の幅や大きさは特に限定されるものではなく、適宜設定されるものである。
【００８２】
さらに、上記実施形態例では、第１の光部品としてスプリッタモジュール３を装置架１５内に収容し、第２の光部品として光分岐モジュール４を装置架１５内に収容した光部品収容架装置３０としたが、本発明の光部品収容架装置に収容される第１、第２の光部品は、必ずしもスプリッタモジュール３と光分岐モジュール４とするとは限らず、本発明は、第１の光部品と第２の光部品の各接続端面側に複数の光ファイバ接続部を形成して、これらの各光ファイバ接続部を１対１で接続する接続用光ファイバを設け、第１、第２の光部品および接続用光ファイバを収容する様々な光部品収容架装置に適用できるものである。
【００８３】
【発明の効果】
本発明によれば、第１と第２の光部品を接続する複数の接続用光ファイバは、これらの接続用光ファイバを搭載して第２の光部品側に導く配線用トレイを介して前記第２の光部品の光ファイバ接続部に接続されており、該配線用トレイは第２の光部品の光ファイバ接続部の上部側に設けられているために、配線用トレイを第２の光部品の光ファイバ接続部の下部側に設けた光部品収容架装置と異なり、配線用トレイ上に接続用光ファイバが簾状に垂れ下がることはなく、配線用トレイ上に簾状に垂れ下がった接続用光ファイバによって、接続用光ファイバの配線や撤去が邪魔されることはない。
【００８４】
また、本発明においては、前記配線用トレイには該配線用トレイに導入される前記接続用光ファイバを、配線用トレイの上方側に配線用トレイ長手方向に沿って複数配列配置された各第２の光部品のファイバ接続部数に対応させて分割して支持する複数の光ファイバ支持部が設けられているために、接続用光ファイバを、配線用トレイに設けられた複数の各光ファイバ支持部によって各第２の光部品に上下方向に配列配置された光ファイバ接続部の数に対応する数ごとに分割して支持することにより、配線用トレイに搭載された接続用光ファイバの取り扱いを非常に容易にすることができる。
【００８５】
特に、本発明においては、前記光ファイバ支持部は、前記配線用トレイの長手方向に並設され、これらの各光ファイバ支持部は前記配線用トレイの長手方向に直交する方向の位置を順にずらして設けられているために、接続用光ファイバを配線用トレイ内で整然とした状態に配列することができるため、前記接続用光ファイバの配線用トレイでの取り扱いを非常に容易にすることができる。
【００８６】
そのため、本発明においては、例えば複数の接続用光ファイバを配線した後にさらに接続用光ファイバを配線する作業を非常に容易に行なうことができるし、接続用光ファイバの配線変更に伴い、配線されている複数の接続用光ファイバ接続用光ファイバから、撤去する１本の接続用光ファイバを取り出す作業も容易に行なうことができる。
【００８７】
また、本発明によれば、上記のように、配線用トレイは第２の光部品の光ファイバ接続部の上部側に設けられており、配線用トレイを第２の光部品の光ファイバ接続部の下部側に設けた光部品収容架装置と異なり、配線用トレイ上に接続用光ファイバが簾状に垂れ下がることはないために、第２の光部品の光ファイバ接続部に接続されている接続用光ファイバ先端側の光コネクタ等に、接続用光ファイバ自体の重みが加えられることはなく、この重みにより、光部品同士の接続に悪影響が及ぶこともなく、光部品同士の光接続の信頼性を高めることができる。
【００８８】
さらに、各光ファイバ支持部は断面が櫛歯状に形成されており、該各光ファイバ支持部の櫛歯の間に接続用光ファイバが１本ずつ配設支持されて該接続用光ファイバが互いに上下方向に間隔を介して配列しているので、前記櫛歯によって接続用光ファイバを１本ずつ支持して互いに上下方向に間隔を介して配列することにより、接続用光ファイバを、配線用トレイの接続用光ファイバ搭載面に直交する方向と水平方向のいずれの方向からみても、配線用トレイに整然と配列することができるし、配線用トレイ上で接続用光ファイバを容易に１本ずつ取り扱うことができる。そのため、接続用光ファイバの配線や配線変更作業をより一層容易に行なうことができる。
【００８９】
さらに、各光ファイバ支持部は配線用トレイに対して抜き差し自在に設けられているので、例えば、接続用光ファイバを光ファイバ支持部に配列するときには、各光ファイバ支持部を配線用トレイから抜いて配線し、各櫛歯の間に接続用光ファイバを配列した状態で、各光ファイバ支持部を配線用トレイに差し込むことにより、非常に容易に行なうことができるし、同様に、接続用光ファイバの配線変更に伴い、撤去する接続用光ファイバを取り出すときにも、光ファイバ支持部を配線用トレイから抜いて取り出すことで、接続用光ファイバの取り出し差す作業も非常に容易に行なうことができる。
【００９０】
さらに、接続用光ファイバを配線用トレイから第２の光部品の光ファイバ接続部側に導出する配線用トレイの端縁部には、各光ファイバ支持部によって支持した接続用光ファイバ毎に各第２の光部品のファイバ接続部に導くガイド部が前記配線用トレイの長手方向に沿って複数並設されている本発明によれば、各光ファイバ支持部によって支持した接続用光ファイバを、各第２の光部品毎に、各第２の光ファイバ接続部に導くことが可能となり、接続用光ファイバをより一層整然と配列することができ、接続用光ファイバの配線および配線変更作業をより一層容易に行なうことができる。
【００９２】
さらに、前記第１の光部品は第１の光ケーブルに設けられた光ファイバから出射する光を複数の光に分割するスプリッタモジュールとし、第２の光部品は前記スプリッタモジュールで分割した各光を第２の光ケーブル側に導く光分岐モジュールとした発明によれば、これらの光部品同士を接続する接続用光ファイバの配線および配線変更を上記のように、非常に容易に行なうことができるし、これらの光部品同士の光接続を非常に信頼性の高いものとすることができるために、これらの光部品同士の接続を介して行なわれる第１と第２の光ケーブルの光接続を非常に信頼性の高いものとして、信頼性の高い加入者系光通信システムなどの光通信システムの構築を図ることができる。
【図面の簡単な説明】
【図１】本発明に係る光部品収容架装置の一実施形態例における接続用光ファイバ６の配線用トレイ２８ｃ上および、配線用トレイ２８ｃから光分岐モジュール４側への配線状態の一部を斜視図によって示す要部構成図である。
【図２】上記実施形態例の光部品収容架装置における配線用トレイ２８ｃ上での光ファイバ支持部４８の配設状態と、１つの光ファイバ支持部４８に支持される続用光ファイバ６の配線状態を斜視図によって示す説明図である。
【図３】上記実施形態例の光部品収容架装置に設けられる光ファイバ支持部４８と光ファイバ支持部４８に支持される１本の接続用光ファイバ６の支持状態を示す断面説明図である。
【図４】上記実施形態例の光部品収容架装置を示す要部構成図である。
【図５】加入者系光通信システムにおける局内配線システムの一例を示す説明図である。
【図６】光部品収容架装置の一例を、光ファイバ配線を大部分省略した状態で斜視図によって示す説明図である。
【図７】図６に示した光部品収容架装置における接続用光ファイバ６の光分岐モジュール４側の配線状態を示す説明図である。
【符号の説明】
１  所内ケーブル
２  成端ケーブル
３  スプリッタモジュール
４  光分岐モジュール
６  接続用光ファイバ
３０  光部品収容架装置
４３  コードガイド
４６  Ｒガイド面
４８  光ファイバ支持部
４９  櫛歯
【図１】
0003540654.tif 000002
【図２】
0003540654.tif 000003
【図３】
0003540654.tif 000004
【図４】
0003540654.tif 000005
【図５】
0003540654.tif 000006
【図６】
0003540654.tif 000007
【図７】
0003540654.tif 000008